(57)【要約】【課題】複数の顧客で構成されるグループの飲食代金の会計の利便性を向上させる。【解決手段】ＰＯＳ端末装置２００は、複数の顧客で構成されるグループで飲食された商品の合計金額であるグループ飲食代金を取得する伝票情報取得部２１１と、グループ飲食代金のうち複数の顧客のいずれかが支払う任意の支払い金額の入力を受け付ける店員用表示操作部２３０と、店員用表示操作部２３０が支払い金額を受け付ける毎に、支払い金額に基づいてグループ飲食代金を分割して会計する会計処理部２１２と、を備える。【選択図】図３
2020135089.tif 000002
【特許請求の範囲】
【請求項１】
複数の顧客で構成されるグループで飲食された商品の合計金額であるグループ飲食代金を取得する取得手段と、
前記グループ飲食代金のうち前記複数の顧客のいずれかが支払う任意の支払い金額の入力を受け付ける入力手段と、
前記入力手段が前記支払い金額を受け付ける毎に、前記支払い金額に基づいて前記グループ飲食代金を分割して会計する会計処理手段と、を備える、
ＰＯＳ端末装置。
【請求項２】
前記会計処理手段は、前記グループ飲食代金から前記支払い金額を順次減算して前記グループ飲食代金の残額を算出し、前記グループ飲食代金の残額が０以下になるまで会計を繰り返す、
請求項１に記載のＰＯＳ端末装置。
【請求項３】
前記会計処理手段が算出した前記グループ飲食代金の残額を表示する表示手段、をさらに備える、
請求項２に記載のＰＯＳ端末装置。
【請求項４】
前記会計処理手段が前記複数の顧客のいずれかに対する会計を行う毎に、その会計内容を印刷したレシートを出力する印刷手段、をさらに備える、
請求項１乃至３のいずれか１項に記載のＰＯＳ端末装置。
【請求項５】
複数の顧客で構成されるグループで飲食された商品の合計金額であるグループ飲食代金のうち前記複数の顧客のいずれかが支払う任意の支払い金額の入力を受け付ける入力手段と、
前記入力手段が前記支払い金額を受け付ける毎に、前記支払い金額に基づいて前記グループ飲食代金を分割して会計する会計処理手段と、を備える、
オーダエントリシステム。
【請求項６】
ＰＯＳ端末装置が実行する任意分割会計方法であって、
複数の顧客で構成されるグループで飲食された商品の合計金額であるグループ飲食代金を取得する取得ステップと、
前記グループ飲食代金のうち前記複数の顧客のいずれかが支払う任意の支払い金額の入力を受け付ける入力ステップと、
前記入力ステップにおいて前記支払い金額が受け付けられる毎に、前記支払い金額に基づいて前記グループ飲食代金を分割して会計する会計処理ステップと、を含む、
会計制御方法。
【請求項７】
ＰＯＳ端末装置が備えるコンピュータを、
複数の顧客で構成されるグループで飲食された商品の合計金額であるグループ飲食代金を取得する取得手段、
前記グループ飲食代金のうち前記複数の顧客のいずれかが支払う任意の支払い金額の入力を受け付ける入力手段、
前記入力手段が前記支払い金額を受け付ける毎に、前記支払い金額に基づいて前記グループ飲食代金を分割して会計する会計処理手段、として機能させる、
プログラム。
【発明の詳細な説明】
【技術分野】
【０００１】
本発明は、ＰＯＳ端末装置、オーダエントリシステム、会計制御方法、およびプログラムに関する。
【背景技術】
【０００２】
レストラン、居酒屋等の飲食店では、業務の効率化を図るためにオーダエントリシステムが広く導入されている。オーダエントリシステムは、手書きで作成されていた伝票を電子データ化して伝達することにより、注文業務、配膳業務、会計業務等を円滑に行うためのシステムである。このオーダエントリシステムに含まれる、顧客の飲食代金を決済する会計処理を行うＰＯＳ端末装置は、一般的に、複数人のグループで飲食した後に飲食代金を会計する際、注文商品の合計金額をグループの人数で均等に割った金額を代表者が集金して纏めて会計したり、グループ内の各顧客が自己が注文して飲食した商品の代金を支払って個別に会計することが可能である。
【０００３】
例えば、特許文献１は、複数の顧客が個別会計を行う際、複数の顧客に対応してそれぞれが注文した商品およびその商品の金額を示す分割情報を生成し、この分割情報に基づいて表示部に各顧客が注文した商品およびその商品の金額を示す分割精算画面を表示させるＰＯＳ端末装置を開示している。
【先行技術文献】
【特許文献】
【０００４】
【特許文献１】特開２００６−２９３５９０号公報
【発明の概要】
【発明が解決しようとする課題】
【０００５】
しかしながら、特許文献１が開示する技術では、飲食店を利用したグループ内の各顧客が所望する任意の支払い金額で飲食代金を会計することが困難である。例えば、飲食店を利用した顧客Ａ，Ｂ，Ｃが、グループの飲食代金１万円を顧客Ａが５千円（５割）、顧客Ｂが３千円（３割）、顧客Ｃが２千円（２割）を支払って会計することを望む場合、特許文献１が開示する技術ではこのような会計を行うことが困難である。
【０００６】
本発明は、上述のような事情に鑑みてなされたものであり、複数の顧客で構成されるグループの飲食代金の会計の利便性を向上させることができるＰＯＳ端末装置、オーダエントリシステム、会計制御方法、およびプログラムを提供することを目的とする。
【課題を解決するための手段】
【０００７】
上記の目的を達成するため、本発明に係るＰＯＳ端末装置は、
複数の顧客で構成されるグループで飲食された商品の合計金額であるグループ飲食代金を取得する取得手段と、
前記グループ飲食代金のうち前記複数の顧客のいずれかが支払う任意の支払い金額の入力を受け付ける入力手段と、
前記入力手段が前記支払い金額を受け付ける毎に、前記支払い金額に基づいて前記グループ飲食代金を分割して会計する会計処理手段と、を備える。
【０００８】
また、上記の目的を達成するため、本発明に係るオーダエントリシステムは、
複数の顧客で構成されるグループで飲食された商品の合計金額であるグループ飲食代金のうち前記複数の顧客のいずれかが支払う任意の支払い金額の入力を受け付ける入力手段と、
前記入力手段が前記支払い金額を受け付ける毎に、前記支払い金額に基づいて前記グループ飲食代金を分割して会計する会計処理手段と、を備える。
【０００９】
また、上記の目的を達成するため、本発明に係る会計制御方法は、
ＰＯＳ端末装置が実行する任意分割会計方法であって、
複数の顧客で構成されるグループで飲食された商品の合計金額であるグループ飲食代金を取得する取得ステップと、
前記グループ飲食代金のうち前記複数の顧客のいずれかが支払う任意の支払い金額の入力を受け付ける入力ステップと、
前記入力ステップにおいて前記支払い金額が受け付けられる毎に、前記支払い金額に基づいて前記グループ飲食代金を分割して会計する会計処理ステップと、を含む。
【００１０】
また、上記の目的を達成するため、本発明に係るプログラムは、
ＰＯＳ端末装置が備えるコンピュータを、
複数の顧客で構成されるグループで飲食された商品の合計金額であるグループ飲食代金を取得する取得手段、
前記グループ飲食代金のうち前記複数の顧客のいずれかが支払う任意の支払い金額の入力を受け付ける入力手段、
前記入力手段が前記支払い金額を受け付ける毎に、前記支払い金額に基づいて前記グループ飲食代金を分割して会計する会計処理手段、として機能させる。
【発明の効果】
【００１１】
本発明によれば、複数の顧客で構成されるグループの飲食代金の会計の利便性を向上させることができるＰＯＳ端末装置、オーダエントリシステム、会計制御方法、およびプログラムを提供することができる。
【図面の簡単な説明】
【００１２】
【図１】本発明の実施の形態に係るオーダエントリシステムの概略図である。
【図２】ＰＯＳ端末装置のハードウェア構成の一例を示すブロック図である。
【図３】ＰＯＳ端末装置の機能構成の一例を示すブロック図である。
【図４】任意分割会計処理の流れを示すフローチャートである。
【図５Ａ】任意分割会計方式における１回目会計のレシートの一例を示す図である。
【図５Ｂ】任意分割会計方式における２回目会計のレシートの一例を示す図である。
【図５Ｃ】任意分割会計方式における３回目会計のレシートの一例を示す図である。
【図５Ｄ】任意分割会計方式における各会計を総括するレシートの一例を示す図である。
【図６Ａ】任意分割会計方式における１回目会計のレシートの一例を示す図である。
【図６Ｂ】任意分割会計方式における２回目会計のレシートの一例を示す図である。
【図６Ｃ】任意分割会計方式における各会計を総括するレシートの一例を示す図である。
【発明を実施するための形態】
【００１３】
以下、本発明の実施の形態について、図面を参照しながら詳細に説明する。
【００１４】
本発明の実施の形態に係るオーダエントリシステム１は、一つの伝票で複数の顧客の注文が取られた場合に各顧客が所望する任意の金額で個別に会計することができるシステムである。図１に示すように、オーダエントリシステム１は、コントロール装置１００、ＰＯＳ端末装置２００、厨房端末装置３００、アクセスポイント４００、および注文入力端末装置５００を含む。コントロール装置１００、ＰＯＳ端末装置２００、厨房端末装置３００、およびアクセスポイント４００は、ネットワークＮＷを介して通信可能に接続されている。ネットワークＮＷは、有線または無線を問わず、例えば、インターネット、ＬＡＮ（Local Area Network）、ＶＰＮ（Virtual Private Network）等の任意の通信網である。また、アクセスポイント４００と注文入力端末装置５００とは、例えば無線ＬＡＮを介して無線通信可能に接続されている。なお、オーダエントリシステム１が備える各装置の台数は任意であり、単一または複数の各装置を含んで構成される。
【００１５】
（コントロール装置１００）
コントロール装置１００は、飲食店の事務所等に設置され、オーダエントリシステム１全体を制御するサーバ装置である。コントロール装置１００は、注文状況や会計状況等を管理し、オーダエントリシステム１に含まれる他の各装置に各種情報を送信する。
【００１６】
コントロール装置１００は、例えば、注文入力端末装置５００から注文情報を受信し、受信した注文情報に基づいて、伝票番号、テーブル番号、受注時刻、注文商品名、数量、単価、合計金額等を含む伝票情報を生成する。コントロール装置１００は、自己が備えるＨＤＤ（Hard Disk Drive）等の記憶装置に予め記憶された、商品と単価とが対応付けられた商品マスタ等を参照して、伝票情報に含まれる注文商品毎にその単価および数量に基づいて小計金額を算出し、小計金額を合算して合計金額を算出する等して伝票情報を生成する。コントロール装置１００は、生成した伝票情報を記憶装置に格納して記憶する。また、コントロール装置１００は、生成した伝票情報を厨房端末装置３００に送信する。さらに、コントロール装置１００は、ＰＯＳ端末装置２００からの送信要求に応じて、伝票情報をＰＯＳ端末装置２００に送信する。
【００１７】
また、コントロール装置１００は、厨房端末装置３００から注文商品の調理が完了したことを示す調理完了情報を受信すると、受信した調理完了情報をアクセスポイント４００を介して注文入力端末装置５００に送信する。これにより、調理済み商品の配膳が接客担当者に指示される。
【００１８】
さらに、コントロール装置１００は、伝票情報およびＰＯＳ端末装置２００から受信する会計内容を示す会計情報に基づいて、売上高や売上動向等を集計して飲食店の営業状況を管理する。
【００１９】
（ＰＯＳ端末装置２００）
ＰＯＳ端末装置２００は、飲食店の会計場所等に設置され、顧客の飲食代金の会計処理を行う。具体的には、ＰＯＳ端末装置２００は、会計処理の開始時、コントロール装置１００に伝票情報の送信を要求する送信要求信号を送信することにより、コントロール装置１００から会計対象の伝票情報を取得する。ここで、ＰＯＳ端末装置２００は、例えば、会計担当者の入力操作により、顧客が飲食代金を会計する際に持参する会計用伝票に記された伝票番号を取得し、送信要求信号において伝票番号を指定する等して送信対象の伝票情報を特定する。
【００２０】
ＰＯＳ端末装置２００は、グループの飲食代金を会計する際、コントロール装置１００から取得した伝票情報に基づいて、一括会計方式、個別会計方式、任意分割会計方式の３つの会計方式のいずれかで会計処理を実行する。ここで、一括会計方式とは、グループで飲食された商品の合計金額（以下、「グループ飲食代金」ともいう）をグループの代表者が纏めて会計する方式である。個別会計方式とは、グループ内の各顧客が、自己が注文して飲食した商品の合計金額、または、グループ飲食代金をグループの人数で均等割した金額を支払って、個別に会計する方式である。任意分割会計方式とは、グループ内の顧客の各々または一部（２人以上でグループの人数に満たない人数）が任意の金額を支払ってグループ飲食代金を分割して会計する方式である。なお、任意分割会計方式において、グループ内の顧客全員が飲食代金を支払うとは限らず、グループ内の任意の顧客が任意の金額を支払ってもよい。例えば、４人で構成されるグループのグループ飲食代金１万円を、グループ内の３人がそれぞれ５千円、３千円、２千円を支払って会計する等が考えられる。また、飲食の開始に遅れてきた遅刻者や飲食の終了前に退席する早退者を考慮して、在席時間に応じて各顧客が支払う金額を算出する時間割の概念を用いてもよい。
【００２１】
ＰＯＳ端末装置２００は、図示はしないが、紙幣や硬貨等のレジで扱う貨幣を一時的に保管する引き出し式の収納庫であるキャッシュドロアを備え、ＣＰＵ（Central Processing Unit）２０１（図２参照）の制御または手動により引き出しが開閉することにより、会計担当者等は会計に係る貨幣の出し入れおよび保管を可能とする。
【００２２】
また、ＰＯＳ端末装置２００は、伝票情報に基づく会計処理が完了する毎に、会計時刻、売上金、入出金額等を含む会計情報を、ネットワークＮＷを介してコントロール装置１００に送信する。
【００２３】
（厨房端末装置３００）
厨房端末装置３００は、商品（料理、デザート、ドリンク等）の調理作業が行われる厨房等に設置され、コントロール装置１００から取得した伝票情報を出力することにより、調理担当者に注文状況を報知する。厨房端末装置３００は、例えば、伝票情報を紙媒体に印字するプリンタや伝票情報を表示するディスプレイ等を用いて伝票情報を出力する。また、厨房端末装置３００は、調理担当者の操作に応じて、注文に係る商品の調理が完了したことを示す調理完了情報をコントロール装置１００に送信する。コントロール装置１００は、厨房端末装置３００から受信した調理完了情報をアクセスポイント４００を介して注文入力端末装置５００に送信することにより、接客担当店者に注文に係る商品の調理完了を報知し、調理済みの商品の配膳を促す。なお、本実施の形態において、注文商品をすべて配膳し終わった時点で、接客担当店者は、厨房端末装置３００が備えるプリンタにより伝票情報が印字された紙媒体を会計用伝票として顧客に渡すこととする。そして、飲食を終えた顧客は、会計用伝票をＰＯＳ端末装置２００が設置された会計場所に持参して飲食代金の支払いをすることとする。
【００２４】
（アクセスポイント４００）
アクセスポイント４００は、店舗のホールの天井や壁等に設置され、注文入力端末装置５００とネットワークＮＷに接続されている各装置との間の通信を中継する。例えば、アクセスポイント４００は、無線通信により注文入力端末装置５００から受信した注文情報をネットワークＮＷを介してコントロール装置１００に送信する。また、アクセスポイント４００は、ネットワークＮＷを介してコントロール装置１００から受信した調理完了情報を無線通信により注文入力端末装置５００に送信する。
【００２５】
（注文入力端末装置５００）
注文入力端末装置５００は、接客担当店者による顧客の注文の入力を受け付け、注文内容を示す注文情報をアクセスポイント４００を介してコントロール装置１００に送信する。注文情報は、テーブル番号、顧客人数、注文商品、数量、受注時刻等を含む。また、注文入力端末装置５００は、コントロール装置１００から調理完了情報を受信し、調理完了情報に基づく画像や音声等を出力する。注文入力端末装置５００が備えるディスプレイやスピーカ等により出力された調理完了情報に基づく画像や音声等を確認した接客担当店者は、調理済みの商品を注文した顧客に配膳する。なお、本実施の形態では、注文入力端末装置５００は、接客担当店者により携帯され、接客担当店者の操作による顧客の注文の入力を受け付けるものとして説明するが、注文入力端末装置５００が例えばテーブル毎に設置され、ディスプレイに表示された注文メニューから顧客が商品を選択入力するように構成されてもよい。
【００２６】
（ＰＯＳ端末装置２００のハードウェア構成）
次に、ＰＯＳ端末装置２００のハードウェア構成について説明する。ＰＯＳ端末装置２００は、図２に示すように、ＣＰＵ２０１、ＲＯＭ（Read Only Memory）２０２、ＲＡＭ（Random Access Memory）２０３、ＨＤＤ２０４、メインディスプレイ２０５、サブディスプレイ２０６、プリンタ２０７、および通信Ｉ／Ｆ（Interface）２０８を備える。これらの各部は、バスラインＢＬを介して相互に電気的に接続されている。
【００２７】
ＣＰＵ２０１は、ＲＯＭ２０２やＨＤＤ２０４からプログラムやデータをＲＡＭ２０３上に読み出して処理を実行することにより、ＰＯＳ端末装置２００の制御や機能を実現する演算装置である。
【００２８】
ＲＯＭ２０２は、ＣＰＵ２０１が実行する各種プログラムやプログラム実行の際に使用される各種データ等を記憶する不揮発性メモリである。ＲＯＭ２０２は、例えば、後述する任意分割会計処理に係るプログラムを記憶する。
【００２９】
ＲＡＭ２０３は、ＲＯＭ２０２やＨＤＤ２０４から読み出されたプログラムやデータを一時的に保持する揮発性メモリであり、ＣＰＵ２０１の作業領域として使用される。
【００３０】
ＨＤＤ２０４は、記憶内容が書き換え可能な大容量かつ不揮発性の記憶装置であり、例えば、基本ソフトウェアであるＯＳ（Operating System）、ＯＳ上で動作し各種機能を提供するアプリケーションソフトウェア等のプログラムやデータを記憶する。また、ＨＤＤ２０４は、後述する通信Ｉ／Ｆ２０８を介してコントロール装置１００から取得した伝票情報を記憶する。なお、ＰＯＳ端末装置２００は、ＨＤＤ２０４に替えて、またはこれと共に、ＳＳＤ（Solid State Drive）等の書き換え可能な不揮発性の記憶装置を備えてもよい。
【００３１】
メインディスプレイ２０５は、ＬＣＤ（Liquid Crystal Display）、ＰＤＰ（Plasma Display Panel）、有機ＥＬ（Electro-Luminescence）ディスプレイ等の表示装置であり、ＣＰＵ２０１の制御に従って、各種画像を表示する。また、メインディスプレイ２０５は、表示画面とこれに重ねて設けられたタッチセンサとからなるタッチパネルを備え、会計担当者の操作を受け付け、受け付けた操作に応じた操作信号をＣＰＵ２０１に供給する。メインディスプレイ２０５は、例えば、表示画面を会計担当者が会計時に位置する側に向けて配置され、コントロール装置１００から取得した伝票情報に基づく画像を表示し、会計担当者の操作を受け付ける。
【００３２】
サブディスプレイ２０６は、ＬＣＤ（Liquid Crystal Display）、ＰＤＰ（Plasma Display Panel）、有機ＥＬ（Electro-Luminescence）ディスプレイ等の表示装置であり、ＣＰＵ２０１の制御に従って、各種画像を表示する。また、サブディスプレイ２０６は、表示画面とこれに重ねて設けられたタッチセンサとからなるタッチパネルを備え、顧客の操作を受け付け、受け付けた操作に応じた操作信号をＣＰＵ２０１に供給する。サブディスプレイ２０６は、例えば、表示画面を顧客が会計時に位置する側に向けて配置され、注文商品リスト（注文商品名、数量、単価（および小計）が対応付けられた一覧）および合計金額、キャンペーン告知等の情報を表示し、顧客の操作を受け付ける。サブディスプレイ２０６は、例えば、個別会計方式による会計を行う際に各顧客がサブディスプレイ２０６に表示された注文商品のリストから自己が注文した商品を選択できるように構成されてもよい。
【００３３】
プリンタ２０７は、会計内容等を示すレシートデータ等を印刷する印刷装置であり、例えば、サーマルロール紙等の紙媒体に印字するサーマルプリンタにより構成される。
【００３４】
通信Ｉ／Ｆ２０８は、オーダエントリシステム１を構成する各装置と通信するためのインタフェースであり、ＣＰＵ２０１の制御に従って、ネットワークＮＷを介してコントロール装置１００、厨房端末装置３００、アクセスポイント４００との間でデータの送受信を行う。
【００３５】
（ＰＯＳ端末装置２００の機能構成）
続いて、ＰＯＳ端末装置２００の機能構成について説明する。ＰＯＳ端末装置２００は、図３に示すように、制御部２１０、記憶部２２０、店員用表示操作部２３０、顧客用表示操作部２４０、印刷部２５０、および通信部２６０を備える。
【００３６】
制御部２１０は、例えばＣＰＵ２０１により構成され、ＰＯＳ端末装置２００の構成部位の各々を制御する。制御部２１０は、機能的には、伝票情報取得部２１１、会計処理部２１２、表示制御部２１３、印刷制御部２１４を有する。これらの各機能部は、制御部２１０が記憶部２２０に記憶されたプログラムを実行することにより実現される。
【００３７】
伝票情報取得部２１１は、会計対象の伝票情報を取得する。詳述すると、伝票情報取得部２１１は、会計担当者による会計開始を指示する操作に応じて、通信部２６０を介して、会計対象の伝票情報の送信を要求する送信要求信号をコンロール装置１００に送信する。また、伝票情報取得部２１１は、通信部２６０を介して、送信要求信号の応答としてコントロール装置１００から送信された伝票情報を受信する。これにより、伝票情報取得部２１１は、会計対象の伝票情報を自発的に取得することができる。伝票情報取得部２１１は、本発明の取得手段の一例である。
【００３８】
会計処理部２１２は、伝票情報取得部２１１が取得した伝票情報に基づいて、会計処理を実行する。会計処理とは、伝票情報が示す飲食代金を決済する処理であり、会計方式の設定、支払い金額および預かり金額の取得、釣り銭額の算出、レシートの印刷、会計情報の生成等の処理を含む。会計処理部２１２は、会計担当者の設定操作に基づいて、グループの飲食代金の会計方式を、一括会計方式、個別会計方式、任意分割会計方式のいずれかに設定し、設定した会計方式を用いて伝票情報が示す飲食代金の会計処理を行う。ここで、支払い金額とは、任意分割会計方式による会計を行う際に顧客から支払いの意思表示（申告）がされた金額である。支払い金額は、いわゆる割り勘とは異なる概念により、会計時または会計前にグループ内の顧客全員の合意のもとに決定された金額であることが望ましい。預かり金額とは、支払い金額の意思表示後にレジ担当者が顧客から受け取った金額であり、釣り銭額とは、預かり金額から支払い金額を減算した金額である。なお、一括会計方式および個別会計方式による会計処理は周知であるため、本実施の形態では、一括会計方式および個別会計方式による会計処理について詳細な説明は省略する。会計処理部２１２は、本発明の会計処理手段の一例である。
【００３９】
表示制御部２１３は、店員用表示操作部２３０および顧客用表示操作部２４０における表示動作を制御する。表示制御部２１３は、店員用表示操作部２３０を制御して、例えば、会計担当者が会計方式を設定するための設定ボタンや支払い金額や預かり金額を入力するためのテンキーを店員用表示操作部２３０に表示させる。また、表示制御部２１３は、顧客用表示操作部２４０を制御して、例えば、伝票情報から導出される飲食代金や任意分割会計方式による会計の際に会計処理部２１２が算出したグループ飲食代金の残額を顧客用表示操作部２４０に表示させる。
【００４０】
印刷制御部２１４は、印刷部２５０における印刷動作を制御する。印刷制御部２１４は、印刷部２５０を制御して、例えば、任意分割会計方式における各顧客の会計が終了する毎に会計処理部２１２が生成した会計情報に基づくレシートデータを印刷部２５０に印刷させる。
【００４１】
記憶部２２０は、例えば、ＲＯＭ２０２、ＲＡＭ２０３、ＨＤＤ２０４を含んで構成され、制御部２１０が実行する各種プログラム、制御部２１０がプログラム実行の際に用いる各種データ、制御部２１０がプログラム実行により生成した各種データ等を記憶する。
【００４２】
店員用表示操作部２３０は、メインディスプレイ２０５により構成され、制御部２１０の制御に従って、制御部２１０から取得した表示用の画像データにアナログ信号変換処理等を施して、各種画像を表示する。また、店員用表示操作部２３０は、制御部２１０の制御に従って、メインディスプレイ２０５が備えるタッチパネルを介して会計担当者の操作を受け付け、受け付けた操作に応じた操作信号を制御部２１０に供給する。店員用表示操作部２３０は、例えば、会計担当者の支払い金額や預かり金額の入力操作を受け付け、受け付けた支払い金額や預かり金額を示す操作信号を制御部２１０に供給する。店員用表示操作部２３０は、本発明の入力手段の一例である。
【００４３】
顧客用表示操作部２４０は、サブディスプレイ２０６により構成され、制御部２１０の制御に従って、制御部２１０から取得した表示用の画像データにアナログ信号変換処理等を施して、伝票情報に基づく注文商品リストをはじめとする各種情報を表示する。また、顧客用表示操作部２４０は、制御部２１０の制御に従って、サブディスプレイ２０６が備えるタッチパネルを介して顧客の操作を受け付け、受け付けた操作に応じた操作信号を制御部２１０に供給する。
【００４４】
印刷部２５０は、プリンタ２０７により構成され、紙媒体に会計処理の結果を示すレシートデータ等を印刷する。
【００４５】
通信部２６０は、通信Ｉ／Ｆ２０８により構成され、制御部２１０の制御に従って、ネットワークＮＷを介してオーダエントリシステム１を構成する各装置との間でデータの送受信を行う。通信部２６０は、例えば、伝票情報の送信を要求する送信要求信号をコントロール装置１００に送信し、その応答として伝票情報をコントロール装置１００から受信する。また、通信部２６０は、会計終了時等に生成される会計情報をコントロール装置１００に送信する。
【００４６】
（ＰＯＳ端末装置２００の動作）
次に、図４に示すフローチャートを参照して、ＰＯＳ端末装置２００の制御部２１０が実行する任意分割会計処理について説明する。この任意分割会計処理は、グループ飲食代金をグループ内の各顧客が任意の支払い金額で分割して会計する処理である。制御部２１０は、店員用表示操作部２３０を介して会計担当者による任意分割会計方式を設定する操作を受け付けたことに応答して、任意分割会計処理を開始する。ここで、任意分割会計処理を開始するにあたり、制御部２１０（伝票情報取得部２１１）は、通信部２６０を介してコントロール装置１００から会計対象の伝票情報を予め取得しているものとする。
【００４７】
任意分割会計処理を開始すると、まず、制御部２１０は、グループ飲食代金を顧客用表示操作部２４０に表示させる（ステップＳ１０１）。制御部２１０（会計処理部２１２）は、任意分割会計処理の開始前に伝票情報取得部２１１がコントロール装置１００から予め取得した伝票情報に含まれる合計金額に基づいてグループ飲食代金を取得する。そして、制御部２１０（表示制御部２１３）は、顧客用表示操作部２４０を制御して、グループ飲食代金を顧客用表示操作部２４０に表示させる。また、制御部２１０（会計処理部２１２）は、後述するグループ飲食代金の残額の初期値として伝票情報から導出されたグループ飲食代金を設定する。
【００４８】
次に、制御部２１０は、支払い金額の入力があったか否かを判定する（ステップＳ１０２）。会計担当者は、グループ内の顧客のいずれかによる支払い金額の申告に応じて、店員用表示操作部２３０を介して支払い金額の入力操作を行う。支払い金額の入力操作を受け付けた店員用表示操作部２３０は、受け付けた支払い金額を示す操作信号を制御部２１０に供給する。制御部２１０（会計処理部２１２）は、店員用表示操作部２３０から支払い金額を示す操作信号を取得したか否かに応じて、支払い金額の入力があったか否かを判定する。支払い金額の入力がないと判定した場合（ステップＳ１０２：ＮＯ）、制御部２１０は、処理をステップＳ１０２に戻し、支払い金額が入力されるまで待機する。
【００４９】
一方、支払い金額の入力があったと判定した場合（ステップＳ１０２：ＹＥＳ）、制御部２１０は、グループ飲食代金の残額を算出する（ステップＳ１０３）。具体的には、制御部２１０（会計処理部２１２）は、ステップＳ１０３の処理を実行する都度、グループ飲食代金の残額からステップ１０２において取得した支払い金額を減算して新たなグループ飲食代金の残額を算出する。
【００５０】
続いて、制御部２１０（会計処理部２１２）は、グループ飲食代金の残額が０より大きいか否かを判定する（ステップＳ１０４）。制御部２１０（会計処理部２１２）は、ステップＳ１０４の処理を実行する度に、直前のステップＳ１０３において算出した新たなグループ飲食代金の残額が０より大きいか否かを判定する。
【００５１】
グループ飲食代金の残額が０より大きいと判定した場合（ステップＳ１０４：ＹＥＳ）、制御部２１０は、支払い金額に基づいてグループ飲食代金の一部を会計する（ステップＳ１０５）。会計担当者は、会計対象の顧客から支払い金額に見合う預かり金を受け取り、店員用表示操作部２３０を介して預かり金額を入力する。制御部２１０（会計処理部２１２）は、支払い金額と預かり金額とを比較し、お釣りがある場合には釣り銭額を算出して、伝票情報に基づく注文商品リスト、支払い金額、預かり金額、釣り銭額等を含む会計情報を生成する。制御部２１０（表示制御部２１３）は、顧客用表示操作部２４０を制御して、会計情報を顧客用表示操作部２４０に表示させる。また、制御部２１０（印刷制御部２１４）は、印刷部２５０を制御して、会計情報に基づくレシートを印刷部２５０に印刷させる。会計担当者は、釣り銭額分の貨幣をキャッシュドロアから取り出し、レシートと共に会計対象の顧客に渡す。これにより、グループ飲食代金の会計が一部完了する。
【００５２】
ここで、図５Ａ〜図５Ｄ、図６Ａ〜図６Ｃを参照して、任意分割会計方式による会計の際に発行するレシートについて説明する。任意分割会計における各会計に係るレシートには、例えば図５Ａ〜図５Ｃに示すように、注文商品リスト、合計金額（グループ飲食代金）に続いて、各会計における支払い金額、預かり金額、釣り銭額に相当する事項（例えば、図５Ａに示すレシートにおける「１回目お支払い金額」、「１回目預かり金額」、「１回目お釣り」）、グループ飲食代金の残額に相当する事項（例えば、図５Ａに示すレシートにおける「１回目残額」）が記載される。
【００５３】
より具体的には、図５Ａ〜図５Ｃは、顧客Ａ、顧客Ｂ、顧客Ｃで構成されるグループのグループ飲食代金７，２００円を、１回目会計で顧客Ａが支払い金額４，０００円分を１０，０００円を出して支払い、２回目会計で顧客Ｂが支払い金額１，５００円分を１０，０００円を出して支払い、顧客Ｃが支払い金額１，７００円分を２，０００円を出して支払って会計した場合を示している。図５Ａに示すレシートを顧客Ａが、図５Ｂに示すレシートを顧客Ｂが、図５Ｃに示すレシートを顧客Ｃが、お釣りと共に会計担当者からそれぞれ受け取る。また、図６Ａおよび図６Ｂは、顧客Ａ、顧客Ｂ、顧客Ｃで構成されるグループのグループ飲食代金７，２００円を、１回目会計で顧客Ａが支払い金額４，０００円分を１０，０００円を出して支払い、２回目会計で顧客Ｂが３，２００円分を１０，０００円を出して支払い、顧客Ｃは支払わずに会計した場合を示している。図６Ａに示すレシートを顧客Ａが、図６Ｂに示すレシートを顧客Ｂが、お釣りと共に会計担当者からそれぞれ受け取る。
【００５４】
さらに、図５Ａ〜図５Ｃ，図６Ａおよび図６Ｂに示す、任意分割会計方式において各会計毎に発行するレシートに加え、または、これらのレシートに替えて、図５Ｄおよび図６Ｃに示す、任意分割会計方式を用いた会計における各会計の内容を総括した最終的なレシートを発行し、会計担当者がグループの代表者等に渡すようにしてもよい。
【００５５】
次に、制御部２１０は、グループ飲食代金の残額を表示する（ステップＳ１０６）。具体的には、制御部２１０（表示制御部２１３）は、顧客用表示操作部２４０を制御して、ステップＳ１０３において算出したグループ飲食代金の残額を顧客用表示操作部２４０に表示させる。ステップＳ１０６を実行した後、制御部２１０は、処理をステップＳ１０２に戻す。
【００５６】
ステップＳ１０４において、グループ飲食代金の残額が０以下であると判定した場合（ステップＳ１０４：ＮＯ）、制御部２１０は、支払い金額に基づいてグループ飲食代金の一部または全部を会計する（ステップＳ１０７）。ここで、ステップＳ１０４の初回実行時にグループ飲食代金の残額が０以下であると判定された場合には、グループ飲食代金の全部の会計が行われる。すなわち、会計方式として任意分割会計方式が採用されたものの、単一の顧客による一括会計が行われることとなる。一方、ステップＳ１０４の複数回目の実行時にグループ飲食代金の残額が０以下であると判定された場合には、グループ飲食代金の一部の会計が行われる。すなわち、グループ飲食代金のうち未だ会計されていない残り全部の会計が行われることとなる。なお、グループ飲食代金の残額が０より小さくなる要因としては、支払い金額の顧客の申告ミスや会計担当者の入力ミス等が考えられるが、仮にグループ飲食代金の残額が０より小さい場合には、グループ飲食代金が過払いとなる旨を表示する等して会計担当者や顧客に会計不具合を報知するように構成してもよい。
【００５７】
ステップＳ１０７において、制御部２１０は、ステップＳ１０５と同様の処理を実行する。制御部２１０（会計処理部２１２）は、支払い金額と預かり金額とを比較し、お釣りがある場合には釣り銭額を算出して、支払い金額、預かり金額、釣り銭額等を含む会計情報を生成する。制御部２１０（表示制御部２１３）は、顧客用表示操作部２４０を制御して、会計情報を顧客用表示操作部２４０に表示させる。また、制御部２１０（印刷制御部２１４）は、印刷部２５０を制御して、会計情報に基づくレシートデータを印刷部２５０に印刷させる。会計担当者は、釣り銭額分の貨幣をキャッシュドロアから取り出し、レシートと共に会計対象の顧客に渡す。これにより、グループ飲食代金の会計が全て完了する。
【００５８】
次に、制御部２１０は、グループ飲食代金の残額を表示する（ステップＳ１０８）。この時、グループ飲食代金の残額は０円である。制御部２１０（表示制御部２１３）は、顧客用表示操作部２４０を制御して、ステップＳ１０３において算出したグループ飲食代金の残額を顧客用表示操作部２４０に表示させる。
【００５９】
続いて、制御部２１０は、会計情報をコントロール装置１００に送信する（ステップＳ１０９）。制御部２１０は、通信部２６０を介して、任意分割処理の実行中に会計処理部２１２が生成したすべての会計情報をコントロール装置１００に送信する。コントロール装置１００は、ＰＯＳ端末装置２００から取得した会計情報を対応する伝票情報と関連付けて管理することにより、運用状況を管理することができる。ステップＳ１０９を実行した後、制御部２１０は、任意分割会計処理を終了する。
【００６０】
以上に説明したように、本実施の形態に係るＰＯＳ端末装置２００は、複数の顧客からなるグループで飲食された商品の合計金額であるグループ飲食代金を取得し、グループ飲食代金のうち各顧客が支払う任意の支払い金額の入力を受け付ける毎に、受け付けた支払い金額に基づいてグループ飲食代金を分割して会計する。これにより、グループの飲食代金の会計の利便性を向上させることができる。
【００６１】
なお、本発明は、上記の実施の形態に限定されず、本発明の要旨を逸脱しない範囲での種々の変形および応用が可能である。
【００６２】
上記の実施の形態では、現金による会計処理について説明したが、これに限られず、ＰＯＳ端末装置２００の会計処理において、クレジットカード、電子マネー、商品券等による決済手段を用いてもよい。
【００６３】
上記の実施の形態では、飲食店で複数の顧客からなるグループの飲食代金を会計する際にＰＯＳ端末装置２００を用いる場合を一例に説明したが、これに限られず、ＰＯＳ端末装置２００は、例えば、商品販売店で複数人のグループが購入する商品の購入代金を会計する際にも用いることができる。
【００６４】
上記の実施の形態において、例えばＰＯＳ端末装置２００の制御部２１０として機能するＣＰＵ２０１が実行する制御プログラムは、ＲＯＭ２０２に記憶されていた。しかしながら、本発明は、これに限定されず、上記の各種処理を実行させるための制御プログラムを、既存の汎用コンピュータや、フレームワーク、ワークステーション等に実装することにより、上記の実施の形態に係るＰＯＳ端末装置２００に相当する装置として機能させてもよい。
【００６５】
このようなプログラムの提供方法は任意であり、例えば、コンピュータが読取可能な記録媒体（フレキシブルディスク、ＣＤ（Compact Disc）−ＲＯＭ、ＤＶＤ（Digital Versatile Disc）−ＲＯＭ）等に格納して配布してもよいし、インターネットをはじめとするネットワーク上のストレージにプログラムを格納しておき、これをダウンロードさせることにより提供してもよい。
【符号の説明】
【００６６】
１        オーダエントリシステム
１００    コントロール装置
２００    ＰＯＳ端末装置
２０１    ＣＰＵ
２０２    ＲＯＭ
２０３    ＲＡＭ
２０４    ＨＤＤ
２０５    メインディスプレイ
２０６    サブディスプレイ
２０７    プリンタ
２０８    通信Ｉ／Ｆ
２１０    制御部
２１１    伝票情報取得部
２１２    会計処理部
２１３    表示制御部
２１４    印刷制御部
２２０    記憶部
２３０    店員用表示操作部
２４０    顧客用表示操作部
２５０    印刷部
２６０    通信部
３００    厨房端末装置
４００    アクセスポイント
５００    注文入力端末装置
ＢＬ      バスライン
ＮＷ      ネットワーク
【図１】
2020135089.tif 000003
【図２】
2020135089.tif 000004
【図３】
2020135089.tif 000005
【図４】
2020135089.tif 000006
【図５Ａ】
2020135089.tif 000007
【図５Ｂ】
2020135089.tif 000008
【図５Ｃ】
2020135089.tif 000009
【図５Ｄ】
2020135089.tif 000010
【図６Ａ】
2020135089.tif 000011
【図６Ｂ】
2020135089.tif 000012
【図６Ｃ】
2020135089.tif 000013
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
複数の顧客で構成されるグループで飲食された商品の合計金額であるグループ飲食代金の金額を取得する取得手段と、
前記グループ飲食代金の金額のうち前記複数の顧客のいずれかが支払う任意の金額である支払い金額の入力のみを受け付ける入力処理を行う入力手段と、
前記入力手段が前記支払い金額を受け付けたときに、前記グループ飲食代金の金額から前記支払い金額を減算し、残額を算出して会計する会計処理を行う会計処理手段と、を備え、
前記入力手段は、前記残額が０より大である場合は、前記残額のうち任意の金額である次の支払い金額の入力のみを受け付ける次の入力処理を行い、
前記会計処理手段は、前記次の入力処理が行われると、前記残額から前記次の支払い金額を減算し、次の残額を算出して会計する次の会計処理を行い、
前記入力手段と前記会計処理手段は、前記次の残額が０となるまで、それぞれ、前記次の入力処理と前記次の会計処理を繰り返す、
ＰＯＳ端末装置。
【請求項２】
前記会計処理手段が算出した前記残額を表示する表示手段、をさらに備え、
前記表示手段は、前記会計処理手段が前記次の会計処理を行う毎に、前記次の残額を表示する、
請求項１に記載のＰＯＳ端末装置。
【請求項３】
前記会計処理手段が前記会計処理を行ったときに、その会計内容を印刷したレシートを出力する印刷手段、をさらに備え、
前記印刷手段は、前記会計処理手段が前記次の会計処理を行う毎に、その会計内容を印刷したレシートを出力する、
請求項１又は２に記載のＰＯＳ端末装置。
【請求項４】
前記次の残額が０となったとき、前記会計処理の会計内容と、前記次の残額が０となるまでに行われた前記次の会計処理のすべての会計内容を印刷したレシートを出力する印刷手段、をさらに備える、請求項１又は２に記載のＰＯＳ端末装置。
【請求項５】
請求項１乃至４のいずれか１項に記載のＰＯＳ端末装置を備える、
オーダエントリシステム。
【請求項６】
ＰＯＳ端末装置が実行する会計制御方法であって、
複数の顧客で構成されるグループで飲食された商品の合計金額であるグループ飲食代金の金額を取得する取得ステップと、
前記グループ飲食代金の金額のうち前記複数の顧客のいずれかが支払う任意の金額である支払い金額の入力のみを受け付ける入力ステップと、
前記入力ステップにおいて前記支払い金額が受け付けたときに、前記グループ飲食代金の金額から前記支払い金額を減算し、残額を算出して会計する会計処理ステップと、
前記残額が０より大である場合は、前記残額のうち任意の金額である次の支払い金額の入力のみを受け付ける次の入力処理を行う次の入力ステップと、
前記次の入力ステップが行われると、前記残額から前記次の支払い金額を減算し、次の残額を算出して会計する次の会計処理を行う次の会計処理ステップと、
前記次の残額が０となるまで、前記次の入力ステップと前記次の会計処理ステップを繰り返す繰り返しステップと、を含む、
会計制御方法。
【請求項７】
ＰＯＳ端末装置が備えるコンピュータを、
複数の顧客で構成されるグループで飲食された商品の合計金額であるグループ飲食代金の金額を取得する取得手段、
前記グループ飲食代金の金額のうち前記複数の顧客のいずれかが支払う任意の金額である支払い金額の入力のみを受け付ける入力処理を行う入力手段、
前記入力手段が前記支払い金額を受け付けたときに、前記グループ飲食代金の金額から前記支払い金額を減算し、残額を算出して会計する会計処理を行う会計処理手段、として機能させ、
前記入力手段は、前記残額が０より大である場合は、前記残額のうち任意の金額である次の支払い金額の入力のみを受け付ける次の入力処理を行い、
前記会計処理手段は、前記次の入力処理が行われると、前記残額から前記次の支払い金額を減算し、次の残額を算出して会計する次の会計処理を行い、
前記入力手段と前記会計処理手段は、前記次の残額が０となるまで、それぞれ、前記次の入力処理と前記次の会計処理を繰り返す、
ように動作させる、プログラム。
【手続補正２】
【補正対象書類名】明細書
【補正対象項目名】０００７
【補正方法】変更
【補正の内容】
【０００７】
上記の目的を達成するため、本発明に係るＰＯＳ端末装置は、
複数の顧客で構成されるグループで飲食された商品の合計金額であるグループ飲食代金の金額を取得する取得手段と、
前記グループ飲食代金の金額のうち前記複数の顧客のいずれかが支払う任意の金額である支払い金額の入力のみを受け付ける入力処理を行う入力手段と、
前記入力手段が前記支払い金額を受け付けたときに、前記グループ飲食代金の金額から前記支払い金額を減算し、残額を算出して会計する会計処理を行う会計処理手段と、を備え、
前記入力手段は、前記残額が０より大である場合は、前記残額のうち任意の金額である次の支払い金額の入力のみを受け付ける次の入力処理を行い、
前記会計処理手段は、前記次の入力処理が行われると、前記残額から前記次の支払い金額を減算し、次の残額を算出して会計する次の会計処理を行い、
前記入力手段と前記会計処理手段は、前記次の残額が０となるまで、それぞれ、前記次の入力処理と前記次の会計処理を繰り返す。
【手続補正３】
【補正対象書類名】明細書
【補正対象項目名】０００８
【補正方法】変更
【補正の内容】
【０００８】
また、上記の目的を達成するため、本発明に係るオーダエントリシステムは、
上記のＰＯＳ端末装置を備える。
【手続補正４】
【補正対象書類名】明細書
【補正対象項目名】０００９
【補正方法】変更
【補正の内容】
【０００９】
また、上記の目的を達成するため、本発明に係る会計制御方法は、
ＰＯＳ端末装置が実行する会計制御方法であって、
複数の顧客で構成されるグループで飲食された商品の合計金額であるグループ飲食代金の金額を取得する取得ステップと、
前記グループ飲食代金の金額のうち前記複数の顧客のいずれかが支払う任意の金額である支払い金額の入力のみを受け付ける入力ステップと、
前記入力ステップにおいて前記支払い金額が受け付けたときに、前記グループ飲食代金の金額から前記支払い金額を減算し、残額を算出して会計する会計処理ステップと、
前記残額が０より大である場合は、前記残額のうち任意の金額である次の支払い金額の入力のみを受け付ける次の入力処理を行う次の入力ステップと、
前記次の入力ステップが行われると、前記残額から前記次の支払い金額を減算し、次の残額を算出して会計する次の会計処理を行う次の会計処理ステップと、
前記次の残額が０となるまで、前記次の入力ステップと前記次の会計処理ステップを繰り返す繰り返しステップと、を含む。
【手続補正５】
【補正対象書類名】明細書
【補正対象項目名】００１０
【補正方法】変更
【補正の内容】
【００１０】
また、上記の目的を達成するため、本発明に係るプログラムは、
ＰＯＳ端末装置が備えるコンピュータを、
複数の顧客で構成されるグループで飲食された商品の合計金額であるグループ飲食代金の金額を取得する取得手段、
前記グループ飲食代金の金額のうち前記複数の顧客のいずれかが支払う任意の金額である支払い金額の入力のみを受け付ける入力処理を行う入力手段、
前記入力手段が前記支払い金額を受け付けたときに、前記グループ飲食代金の金額から前記支払い金額を減算し、残額を算出して会計する会計処理を行う会計処理手段、として機能させ、
前記入力手段は、前記残額が０より大である場合は、前記残額のうち任意の金額である次の支払い金額の入力のみを受け付ける次の入力処理を行い、
前記会計処理手段は、前記次の入力処理が行われると、前記残額から前記次の支払い金額を減算し、次の残額を算出して会計する次の会計処理を行い、
前記入力手段と前記会計処理手段は、前記次の残額が０となるまで、それぞれ、前記次の入力処理と前記次の会計処理を繰り返す、
ように動作させる。